(57)【特許請求の範囲】
【請求項１】
窓の外方にレールに沿って走行自在に設けた雨戸において、
前記雨戸は、縦方向及び横方向の枠で構成された前記レールを走行する枠体ユニットと、
この枠体ユニットの縦方向の枠に対してそれぞれ水平方向の回転軸心を有し室外側に開放および室内側に閉止する回転板体が高さ方向に複数設けられ、かつ、これらの回転板体の前記回転軸心より室内側両側において縦方向に配設された連動体を介して連結され、この両側の連動体は横方向に配設された繋ぎ材で連結されて一体化されており、各回転板体は一体的に前記開放および閉止する回転板体ユニットと、
この回転板体ユニットの前記回転板体の前記開放時においては前記枠体ユニットの前記レールでの走行を阻止する走行阻止手段とを備え、
前記繋ぎ材に水平方向にスライド自在な開放ロック体が設けられ、前記回転板体ユニットの室内側への引き込み時において前記回転板体ユニットの各回転板体は一体的に開放し、この開放状態において前記開放ロック体を外方にスライドしたとき、前記回転板体ユニットが回転板体の自重により復元しようとしても、前記開放ロック体が前記枠体ユニットの縦方向の枠の室内側面に当たるので、戻りが防止される関係にある、
ことを特徴とする窓の日射遮蔽を兼ねる雨戸。
【請求項２】
窓の外方にレールに沿って走行自在に設けた雨戸において、
前記雨戸は、縦方向及び横方向の枠で構成された前記レールを走行する枠体ユニットと、
この枠体ユニットの縦方向の枠に対してそれぞれ水平方向の回転軸心を有し室外側に開放および室内側に閉止する回転板体が高さ方向に複数設けられ、かつ、これらの回転板体の前記回転軸心より室内側において縦方向に配設された連動体を介して連結され、各回転板体は一体的に前記開放および閉止する回転板体ユニットと、
前記枠体ユニットの横方向の枠に対して設けられた、下および上方向に移動して前記レールに対して移動方向に対応して係脱する走行ロック体とを備え、
前記走行ロック体の下方向への移動に伴う前記レールに対する係合がなされない限り、前記回転板体ユニットを室内側へ引き込めない関係とし、かつ、前記回転板体ユニットの室内側への引き込みを解除して前記回転板体ユニットを前記枠体ユニットの縦方向及び横方向の枠で囲まれる開口部内に収めない限り、前記走行ロック体の上方向への移動に伴う前記レールに対する係合解除をなし得ない関係にある、
ことを特徴とする窓の日射遮蔽を兼ねる雨戸。
【発明の詳細な説明】
【０００１】
【発明の属する技術分野】
本発明は、窓の日射遮蔽を兼ねる雨戸に関する。
【０００２】
【従来の技術】
近年の住宅においては、室内環境の快適化、冷暖房負荷の低減による省エネルギー化を図るために高断熱・高気密化が進んでいる。一方、地価の高騰に伴って、最大限に土地を有効に利用しながら、採光を図る設計が多く採用される傾向にある。
【０００３】
その結果、東西の壁面にも窓を設ける設計が多くある。しかし、特に東西面においては夏期における日射が部屋内に深く入り込むので、開口部の断熱化に反する結果となり、冷房効率を低下させ省エネルギー化の妨げになっている。
【０００４】
したがって、日射熱の侵入を可能な限り防ぐために日射遮蔽を図ることが重要となる。従来、ブラインドやカーテンを窓の内側に設けたり、また、サッシ内にブラインドを内蔵しているが、日射の室内への侵入は防げるものの、窓面および窓に面する室内部分の温度上昇は避けられない。
【０００５】
したがって、日射熱の影響を効率よく防ぐためには窓の外側で遮蔽する手段が最適であり、窓の外側を遮蔽する雨戸を日射遮蔽に利用し得る構造に改良して、日射遮蔽を兼ねる雨戸とすることが合理的である。
【０００６】
これに近い例としては、特開昭５２−７０５５４号および５４−９３８２９号公報に開示されたものがある。
【０００７】
【発明が解決しようとする課題】
しかし、特開昭５２−７０５５４号の装置は大型のルーバー装置であり建具の域をはるかに逸脱するものである。したがって、従来の建具雨具を改良して構成することにより、従来の雨戸の形態、機能、意匠を維持しつつ、日射遮蔽の機能を兼ね備える合理性を有するものではない。
【０００８】
また、特開昭５４−９３８２９号の雨戸は上下部にルーバーを設けて通風機能を持たせたものにすぎず、日射遮蔽体として兼用する思想はない。すなわち、日射遮蔽体として実用化するためには、日射も遮蔽でき、かつ閉鎖感を感じない程度の開口を設ける必要があり、そのためには、遮蔽体を屋外側に持ち出すか、あるいは、回動させる構造にしなければならない。
【０００９】
本発明の課題は、従来の雨戸を改良して、形態、機能、意匠を維持しつつ、日射遮蔽の機能を兼ね備えた雨戸を提供することにある。さらに、日射遮蔽体として実用化できる構造とするために、遮蔽部を安定的に回動開閉し得る構造、およびそれに関連する使用形態の構造の雨戸を提供すことにある。
【００１０】
【課題を解決するための手段】
上記課題を解決した本発明の請求項１記載の発明は、窓の外方にレールに沿って走行自在に設けた雨戸において、
前記雨戸は、縦方向及び横方向の枠で構成された前記レールを走行する枠体ユニットと、
この枠体ユニットの縦方向の枠に対してそれぞれ水平方向の回転軸心を有し室外側に開放および室内側に閉止する回転板体が高さ方向に複数設けられ、かつ、これらの回転板体の前記回転軸心より室内側両側において縦方向に配設された連動体を介して連結され、この両側の連動体は横方向に配設された繋ぎ材で連結されて一体化されており、各回転板体は一体的に前記開放および閉止する回転板体ユニットと、
この回転板体ユニットの前記回転板体の前記開放時においては前記枠体ユニットの前記レールでの走行を阻止する走行阻止手段とを備え、
前記繋ぎ材に水平方向にスライド自在な開放ロック体が設けられ、前記回転板体ユニットの室内側への引き込み時において前記回転板体ユニットの各回転板体は一体的に開放し、この開放状態において前記開放ロック体を外方にスライドしたとき、前記回転板体ユニットが回転板体の自重により復元しようとしても、前記開放ロック体が前記枠体ユニットの縦方向の枠の室内側面に当たるので、戻りが防止される関係にある、
ことを特徴とする窓の日射遮蔽を兼ねる雨戸である。
【００１１】
請求項２記載の発明は、窓の外方にレールに沿って走行自在に設けた雨戸において、
前記雨戸は、縦方向及び横方向の枠で構成された前記レールを走行する枠体ユニットと、
この枠体ユニットの縦方向の枠に対してそれぞれ水平方向の回転軸心を有し室外側に開放および室内側に閉止する回転板体が高さ方向に複数設けられ、かつ、これらの回転板体の前記回転軸心より室内側において縦方向に配設された連動体を介して連結され、各回転板体は一体的に前記開放および閉止する回転板体ユニットと、
前記枠体ユニットの横方向の枠に対して設けられた、下および上方向に移動して前記レールに対して移動方向に対応して係脱する走行ロック体とを備え、
前記走行ロック体の下方向への移動に伴う前記レールに対する係合がなされない限り、前記回転板体ユニットを室内側へ引き込めない関係とし、かつ、前記回転板体ユニットの室内側への引き込みを解除して前記回転板体ユニットを前記枠体ユニットの縦方向及び横方向の枠で囲まれる開口部内に収めない限り、前記走行ロック体の上方向への移動に伴う前記レールに対する係合解除をなし得ない関係にある、
ことを特徴とする窓の日射遮蔽を兼ねる雨戸である。
【００１２】
【発明の実施の形態】
以下本発明を図面に示す実施の形態を参照しながらさらに詳説する。
（構造の説明）
図１は雨戸の室内側からの視図であり、雨戸１０は図示しない戸袋から引き出して窓を覆う通常の建具雨戸の形態になっている（この形態は図示していない）。雨戸１０は、図示しない上レールと、図３および図４に示されている下レール８０とにガイドされて下レール８０上を戸車８１に乗って走行するようになっている。
【００１３】
雨戸１０は、上下左右（室内側から視で）の雨戸框１２，１４，１６，１８内に中縦桟２０Ａ，２０Ｂが設けられ、これが枠体ユニットＵ１を構成している。
【００１４】
中縦桟２０Ａと左框１６、中縦桟２０Ｂと右框１８との間には、それぞれ室内外にパネル２２，２２…が設けられ、室内外を仕切っている。
【００１５】
上下框１２，１４および中縦桟２０Ａ，２０Ｂに囲まれる開口部には、回転板体３０を複数高さ方向に有する回転板体ユニットＵ２が設けられており、回転板体３０の全閉時には通常の雨戸としての役割をなし、回転板体３０を開放したとき、隣接する回転板体３０，３０間を通して、間接光の採光および外気の流通が可能とされている。
【００１６】
実施例における回転板体３０は金属製羽根体であるが、日射を遮蔽する板状体あれば、どのような形態のものでもよい。この回転板体３０，３０…を支持するために、各中縦桟２０Ａ，２０Ｂの内側の室外側には、図５、図６に示されているように縦支持材３２Ａ，３２Ｂが固定されている。回転板体３０の両側は、対応する縦支持材３２Ａ，３２Ｂを通してビス３４が貫入され、このビス３４は回転板体３０に対しては固定であるが、縦支持材３２Ａ，３２Ｂに対しては遊嵌されているために、各回転板体３０，３０…は縦支持材３２Ａ，３２Ｂ回転自在に支持されている。ビス３４が回転板体３０の回転軸心を構成している。また、各回転板体３０，３０…を連動させるために、縦支持材３２Ａ，３２Ｂの室内側に、横断面溝形の連動体３６Ａ，３６Ｂが縦方向に配設されている。
【００１７】
この連動体３６Ａ，３６Ｂに、各回転板体３０，３０…の室内側両側、すなわち、回転軸心を構成するビス３４より室内側の両側は、ビス３８により連結されている。ビス３８は回転板体３０のビスホールに対しては固定であるが、連動体３６Ａ，３６Ｂに対しては遊嵌している。
【００１８】
一方、上下には、室外から回転板体３０と同じに見えるようにした目隠し板４０，４２が固定されている。
【００１９】
他方、連動体３６Ａ，３６Ｂの上下、および中間は、繋ぎ材４４，４６，４８が連結されて一体化されており、これらが各回転板体３０，３０…に対する枠を構成している。
【００２０】
中繋ぎ材４８の上のリップ溝４８ａの両側には、水平方向にスライドする本発明の開放ロック体を構成する開放ロック５０Ａ，５０Ｂが設けられている。開放ロック５０Ａ，５０Ｂはそれぞれ、一体のロックロッド５０ａおよび操作摘み５０ｂを有し、開放ロック５０Ａ，５０Ｂをそれぞれ外方に、すわなち、図６および図７の左方および右方にスライドさせたとき、縦支持材３２Ａ，３２Ｂの係合孔３２ａに係合し、各回転板体３０，３０…の閉止状態が維持されるようになっている。
【００２１】
さらに、その係合を解いた状態で、回転板体ユニットＵ２全体を、たとえば操作摘み５０ｂを握持しながら、室内側に引き寄せた後、開放ロック５０Ａ，５０Ｂをそれぞれ外方に、すなわち図５〜図８の左方および右方にスライドさせたとき、仮想線で示すように、枠体ユニットＵ１の室内側面と対向する寸法とされている。図示例においては、中縦桟２０Ａ，２０Ｂの室内側面に対向する（中縦桟２０Ａ，２０Ｂと一体となった縦支持材３２Ａ，３２Ｂに対向する態様でもよい）。
【００２２】
また、図１および図３が参照されるように、枠体ユニットＵ１に対して、図示例では下框１４に対して、本発明の走行阻止手段を構成する走行ロック体６０が設けられている。走行ロック体６０は、下框１４に固定されたケース体６２とこれに沿って上下するロックロッド６４とを有する。ロックロッド６４の途中には座体６６が設けられている。雨戸１０が戸締り位置に達した時点で、ロックロッド６４の先端が係合する係合孔８０ａが走行レール８０に形成されている。係合孔８０ａの位置については、必ずしも戸締り位置でなくてもよく、また適宜、複数設けてもよい。
【００２３】
他方、図３に図示されているように、下繋ぎ材４６は、ロックロッド６４の上端の折曲部６４ａに乗る位置になるように設定されている。下繋ぎ材４６の室外側にはロックロッド６４を確実に押し下げるためのリブ４６ａが形成されている。
【００２４】
（動作説明）
かかる構造の下で、夜間などにおいては、実線示すように、各回転板体３０，３０…は閉じている。日中、日射を遮蔽する場合は雨戸１０を窓位置に位置させた状態で、日射を遮蔽しながら、間接光の明かり取りを行うために、たとえば操作摘み５０ｂをスライド操作して開放ロック５０Ａ，５０Ｂを縦支持材３２Ａ，３２Ｂの係合孔３２ａからの係合を外した状態で、回転板体ユニットＵ２全体を、その操作摘み５０ｂを握持しながら、室内側に引き寄せた後、開放ロック５０Ａ，５０Ｂをそれぞれ外方に、すなわち図５〜図８の左方および右方にスライドさせる。その結果、ロックロッド５０ａ，５０ａは、枠体ユニットＵ１の室内側面と、実施例においては中縦桟２０Ａ，２０Ｂの室内側面に対向する。その結果、この状態では、回転板体ユニットＵ２が回転板体３０の自重により復元しようとしても、ロックロッド５０ａ，５０ａが中縦桟２０Ａ，２０Ｂの室内側面に当たるので、戻りが防止される。また、この回転板体ユニットＵ２の室内側への引き寄せによって、各回転板体３０，３０…は、ビス３４を中心として回転し、その下部が持ち上げられ、隣接する回転板体３０，３０間から外気の取り入れおよび間接光の明かり取りを行うことができる。
【００２５】
前記操作と同時に、特に図２の回転板体３０の動きが参照されるように、回転板体ユニットＵ２はビス３４を中心として回転しながら室内側に引き寄せられるので、図３に示されているように、回転板体ユニットＵ２の下繋ぎ材４６がロックロッド６４を押し下げる。その結果、ロックロッド６４は下降せられ、走行レール８０の係合孔８０ａに係合する。
【００２６】
したがって、この状態では、すなわち、間接光の明かり取りのために、各回転板体３０，３０…を開放した状態では、雨戸１０の走行が防止される。これは、各回転板体３０，３０…を開放した状態で戸袋に引き込んで、各回転板体３０，３０…を損傷する事態、あるいは室外に雨戸１０に近接して人間が立っていることが室内からは見え難い状態の下で、雨戸１０を走行させて怪我をさせる事態などを解消し、きわめて安全性に優れたものを構成する。
【００２７】
雨戸１０を戸袋に収納するためには、まず、ロックロッド５０ａ，５０ａを反対方向にスライドさせた後、回転板体ユニットＵ２を室外側に押し戻した後、ロックロッド６４を上昇させて、ロックロッド６４の走行レール８０の係合孔８０ａに対する係合を解除させてから、雨戸１０全体を走行レール８０に沿って走行させる。
【００２８】
前記したように、回転板体ユニットＵ２と雨戸１０の走行阻止手段は、回転板体ユニットＵ２の下繋ぎ材が雨戸１０の走行阻止手段を構成する走行ロック体６０のロックロッド６４を押し下げる関係にある。すなわち、回転板体ユニットＵ２の動作は、回転板体ユニットのＵ２の回転板体３０の、開放方向の動作により走行阻止手段による走行レール８０への係合が行われるように走行阻止手段と連係されている。また、走行ロック体６０と回転板体ユニットＵ２は、走行ロック体６０を走行レール８０に係合して回転板体ユニットＵ２の連動体３６Ａ、３６Ｂの規制を解除しない限り、連動体３６Ａ、３６Ｂを室内側へ引き込めず回転板体３０を開放できない関係にあり、かつ回転板体ユニットＵ２の運動体３６Ａ、３６Ｂの室内側への引き込みを解除して回転板体ユニットＵ２を枠体ユニットＵ１内に納めた閉止状態にしない限り、走行ロック体６０の上方向への移動に伴う走行レール８０に対する係合解除をして雨戸１０を走行させることができない関係にある。
【００２９】
実施例においては、回転板体ユニットＵ２の下繋ぎ材４６と走行ロック体６０のロックロッド６４とを連結することなく、分離可能な関係で連係されているので、回転板体３０を閉止した状態で走行ロック体６０のみを操作し雨戸１０の走行を阻止することも可能である。この態様において、回転板体３０を閉止した後は、走行ロック体６０単独で上昇させて、走行レール８０に対する係合を解除することができ、必要ならば、走行ロック体６０を上昇位置状態を安定させるために、たとえばロックロッド６４の外周面に凹溝を形成し、この凹溝に係合するバネをたとえばケース体６２に設けて、ロックロッド６４を上昇させたとき、その凹溝にバネが係合するなどの形態を採用できる。
【００３０】
回転板体３０を閉止した状態で走行ロック体６０のみを操作することが必要ない場合には、回転板体ユニットＵ２の下繋ぎ材と走行ロック体６０のロックロッド６４を連結して完全に一体に動作する構造にしてもよい。
【００３１】
（本発明の変形例）
本発明はその要旨の範囲内で上記の実施の形態に限定されない。すなわち、一つの枠体ユニットＵ１に対して、一つの回転板体ユニットＵ２を設けるほか、二つ以上の回転板体ユニットＵ２を設けることもできる。
【００３２】
回転板体３０を構成するものは、防犯上からは金属板、無機材料板などを用いるのが望ましい。また、日射熱の断熱性の面では、面板材の室内側に断熱材を貼付けたもの等外表面材が吸収した日射熱を室内側へ伝えにくいものが適当である。また、回転板体３０は日射の遮蔽を目的とする限りにおいて、不透明のほか、日射を和らげる程度の透光性を有していてもよい。
【００３３】
【発明の効果】
以上のように、本発明によれば、従来の建具形態の雨戸によって、日射遮蔽体を兼ねることができる。また、日射遮蔽体である回転板体が外側に張出した位置で日射を遮蔽するので、効率よく日射を遮蔽することができ、かつ閉鎖感を感じない程度の間接光を確保できる。さらに、走行阻止手段を設けることにより、回転板体を解放した状態において、雨戸を走行させる危険性を解消できる。
【００３４】
複数の回転板体が連結機構を介して一体的に構成されているので、各回転板体を一括して開閉規制することができる。また、操作が簡単である。
【００３５】
前記回転板体ユニットの動作は、前記走行阻止手段と連係され、前記回転板体ユニットの回転板体の、開放方向の動作により前記走行阻止手段によるレールへの係合が行われ、回転板体を開放した際、同時に雨戸が走行阻止されるので、操作が簡単で誤りなく操作できる。
【００３６】
前記回転板体ユニットに水平方向にスライド自在な開放ロック体が設けられ、前記回転板体ユニットの室内側への引き込み時において前記回転板体ユニットの各回転板体は一体的に開放し、この開放状態において前記開放ロック体を外方にスライドしたとき、前記枠体ユニットの室内側面に対向する関係にあるので、開放状態を確実に維持できる。
【００３７】
回転板体が閉止している時でないと、雨戸の移動ができず、また、雨戸の移動が規制されている時のみ回転板体の開放が可能であるので安全である。
【図面の簡単な説明】
【図１】雨戸の室内からの視図である。
【図２】雨戸の上部の縦断面図である。
【図３】雨戸の下部の縦断面図である。
【図４】異なる位置の縦断面図である。
【図５】雨戸の水平断面図である。
【図６】開放ロック体が設けられる部分の水平断面図である。
【図７】開放ロック体室内側からの視図である。
【図８】雨戸下部の水平断面図である。
【符号の説明】
１０…雨戸、１２〜１８…雨戸框、２０Ａ，２０Ｂ…中縦桟、３０…回転板体、３２Ａ，３２Ｂ…縦支持材、３６Ａ，３６Ｂ…連動体、４４，４６，４８…繋ぎ材、５０Ａ，５０Ｂ…開放ロック、５０ａ…ロックロッド、６０…走行ロック体（走行阻止手段）、６４…ロックロッド、８０…走行レール、８０ａ…係合孔、Ｕ１…枠体ユニット、Ｕ２…回転板体ユニット。
【図１】
0003669611.tif 000002
【図２】
0003669611.tif 000003
【図３】
0003669611.tif 000004
【図４】
0003669611.tif 000005
【図５】
0003669611.tif 000006
【図６】
0003669611.tif 000007
【図７】
0003669611.tif 000008
【図８】
0003669611.tif 000009